(57)【要約】      （修正有）【課題】クリップの跳ね上げ操作により係止状態の解除が行われるノック式筆記具において、ノック操作で係止爪（凸部）に過大な押圧力がかかった際にも、ノック操作が正しく行われる筆記具を提供する。【解決手段】先端にペン先を備えた筆記具本体の側部に配置した凸部を、操作による筆記具本体の前後動にともなって外装体に係合させることによって、外装体の先端開口部からのペン先の出没係止をなす出没式筆記具であって、前記外装体の一部として、側部より突出状態に形成されたクリップ４の内側部に形成した係合部に、前記凸部を係合するようなしたものにおいて、前記クリップの内側部に、前記凸部の前方移動規制面４ｋを形成し、前記凸部が、前記前方移動規制面のクリップ外側方向上部と当接し、前方移動規制面の下部に乗り越え規制部を形成した出没筆記具。【選択図】図２２
2019014098.tif 000002
【特許請求の範囲】
【請求項１】
先端にペン先を備えた筆記具本体の側部に配置した凸部を、操作による筆記具本体の前後動にともなって外装体に係合させることによって、外装体の先端開口部からのペン先の出没係止をなす出没式筆記具であって、前記外装体の一部として、側部より突出状態に形成されたクリップの内側部に形成した係合部に、前記凸部を係合するようなしたものにおいて、前記クリップの内側部に、前記凸部の前方移動規制面を形成し、前記凸部が、前記前方移動規制面のクリップ外側方向上部と当接し、前方移動規制面の下部に乗り越え規制部を形成した出没筆記具。
【発明の詳細な説明】
【技術分野】
【０００１】
本発明は、先端にペン先を備えた筆記具本体の側部に配置した凸部を、操作による筆記具本体の前後動にともなって外装体に係合させることによって、外装体の先端開口部からのペン先の出没係止をなす出没式筆記具であって、前記外装体の一部として、側部より突出状態に形成されたクリップの内側部に形成した係合部に、前記凸部を係合するようなしたものに関する。
【背景技術】
【０００２】
従来、操作によって外装体の先端よりペン先を出没させてなる出没式筆記具として、カム機構を利用したものが知られており、コイルスプリング等の弾撥部材にて後方付勢された筆記具本体に形成した凸部等を、ノック操作などで弾撥部材の弾撥力に抗して前進させ、外装体に形成した、溝などの案内路に案内して、ペン先の突出状態、没入状態のそれぞれを形成できるようにした、所謂ハートカム機構と呼ばれている繰り出し機構を用いたものが知られており、筆記具本体の前後操作のみで、凸部が案内路内を移動可能なため、操作性に優れたものである。
例えば、特開平１０−２６４５８１号公報（特許文献１）に記載のノック式筆記具（出没式筆記具）では、係止爪を備えたノック部のノック操作とインク収容管を後方へ弾発するリターンスプリングにより軸筒（外装体）の窓孔を介して臨むクリップの係止部に対する前記係止爪の係止とその係止状態の解除が行われ、更に同係止状態の解除がクリップの跳ね上げ操作により行われるノック式筆記具が記載されている。
【先行技術文献】
【特許文献】
【０００３】
【特許文献１】特開平１０−２６４５８１号公報
【発明の概要】
【発明が解決しようとする課題】
【０００４】
しかし、特許文献１に記載のノック式筆記具（出没式筆記具）では、クリップの跳ね上げ操作により係止状態の解除が行われる構成上、ノック操作で係止爪（凸部）に過大な押圧力がかかった際に、クリップの前進移動量を規制する規制部（前方移動規制面）に係止している係止爪がクリップを押し上げてしまい、係止部と係止爪の係止が外れてしまい、その結果、ノック操作が正しく行われない恐れがあった。
【課題を解決するための手段】
【０００５】
本発明は、先端にペン先を備えた筆記具本体の側部に配置した凸部を、操作による筆記具本体の前後動にともなって外装体に係合させることによって、外装体の先端開口部からのペン先の出没係止をなす出没式筆記具であって、前記外装体の一部として、側部より突出状態に形成されたクリップの内側部に形成した係合部に、前記凸部を係合するようなしたものにおいて、前記クリップの内側部に、前記凸部の前方移動規制面を形成し、前記凸部が、前記前方移動規制面のクリップ外側方向上部と当接し、前方移動規制面の下部に乗り越え規制部を形成した出没筆記具を要旨とする。
【発明の効果】
【０００６】
前記凸部が、前方移動規制面のクリップ外側方向上部と当接し押し付けられるので、押し付け力が強ければ該部に食い込んだり、凹みを形成するように変形が付与されることになる。また、少なくとも押し付け力により微視的な表面のなじみが発生し、当接していない部分との摩擦抵抗の差が生まれ、凸部と接触しない前方移動規制面の下部が、アゴ状のアンダーカット、又は、当接による表面なじみのない部分として形成され、凸部が前記前方移動規制面の下方向に乗り越えて移動することによる不意の係合解除や、係合できずに操作が空振りとなることを極力抑制することが出来る。
【図面の簡単な説明】
【０００７】
【図１】本実施例の全体を示す縦断面図
【図２】外装体１の先端部の縦断面斜視図
【図３】外装体１の先端部の縦断面正面図
【図４】外装体１の後部拡大斜視図
【図５】外装体１の後部拡大正面図
【図６】筆記具本体２の斜視図
【図７】筆記具本体２の縦断面正面図
【図８】ペン先３の正面図
【図９】ペン先ホルダー１５の縦断面正面図
【図１０】筆記具本体２の先端部分の斜視図
【図１１】筆記具本体２の後方部分の斜視図
【図１２】操作部材８の正面図
【図１３】操作部材８の縦断面正面図
【図１４】操作部材８のインキ吸蔵体１４を挿入する方向である前方から見た図
【図１５】蓋体９の斜視図
【図１６】蓋体９の側面図
【図１７】蓋体９の内側を示す断面正面図
【図１８】蓋体９の底面図
【図１９】環状部材１３の斜視図
【図２０】環状弾性体１２の縦断面斜視図
【図２１】クリップ４の斜視図
【図２２】クリップ４の下方から見た図
【図２３】クリップ４の下方から見た斜視図
【図２４】基部５の斜視図
【図２５】基部５の側面図
【図２６】基部５の縦断面図
【図２７】基部５の下方から見た図
【図２８】回転子７の斜視図
【図２９】回転子７の上方から見た図
【図３０】回転子７の側面図
【図３１】本筆記具の各部品を展開した斜視図
【図３２】基部５を外装体１に嵌め込む様子を示す、基部５の前方係合突起５ａ及び後方係合突起５ｂの縦断面正面図
【図３３】基部を外装体１に嵌め込む様子を示す、基部５の中心からカットした縦断面図
【図３４】外装体１に基部５を配設し後方から見た正面図
【図３５】蓋体９の回転と筆記具本体２の前進動作を説明する本筆記具の前方縦断面正面図
【図３６】蓋体９の回転と筆記具本体２の前進動作を説明する本筆記具の外装体１及び環状弾性体１０の前方縦断面正面図
【図３７】図３５の段階（１）前方拡大正面図
【図３８】図３５の段階（２）前方拡大正面図
【図３９】図３５の段階（３）前方拡大正面図
【図４０】図３５の段階（４）前方拡大正面図
【図４１】図３５の段階（５）前方拡大正面図
【図４２】図３５の段階（６）前方拡大正面図
【図４３】本筆記具の案内路を示し、上方から見た正面図
【図４４】図４３の部分拡大正面図
【図４５】回転子７の凸部７ａが前進する様子を示す図
【図４６】回転子７の凸部７ａが第１の傾斜壁４ｄに案内される様子を示す図
【図４７】回転子７の凸部７ａが第２の傾斜壁１ｏに案内された後を示す図
【図４８】回転子７の凸部７ａがペン先突出用係合部１ｐに係合した様子を示す図
【図４９】回転子７の凸部７ａがペン先突出用係合部１ｐから前進し、第３の傾斜壁４ｅに案内されている様子を示す図
【図５０】回転子７の凸部７ａが第３の傾斜壁４ｅに案内された後を示す図
【図５１】回転子７の凸部７ａが図５０の状態から後退し、第４の傾斜壁１ｑに案内されている様子を示す図
【図５２】図５０のＡ−Ａ線断面における凸部周辺の拡大図
【発明を実施するための形態】
【０００８】
出没式筆記具は、外装体内に、先端にペン先を有する筆記具本体を収容している。
外装体は、１部品又は前軸と後軸などの２部品以上の部材を組み立てたものからなり、筆記具本体が先端に備えるペン先を突出させるために、先端に開口部が形成され、また、側部にポケットに指した場合などにポケットの縁に引っ掛けて脱落防止などをなすクリップを突出して備えている。
筆記具本体が先端に備えるペン先は、ボールペン用ペン先、繊維収束体、ウレタンなどの多孔質体、連通孔を有する合成樹脂など適宜使用可能である。
筆記具本体を前後動させる操作は、出没式筆記具の後端に配置したノック部材や、側部にスライド機構を設けるなど、公知の方法を種々採用できるものである。
筆記具本体は、内部に塗布液を収容しており、この塗布液の収容方法は、繊維収束体などの吸蔵体に含浸させたり、吸蔵体を使用せずに、塗布体内に直接自由状態で収容してもよい。使用される塗布液も、化粧用塗布液や筆記具用のインキなど適宜使用できる。筆記具用のインキの場合は着色剤として染料及び／又は顔料が使用でき、媒体も水、有機溶剤が適宜使用できる。
また、筆記具本体は外装体内で、コイルスプリングなどの弾撥部材によって後方付勢されつつ前後動可能に配置されている。
【０００９】
凸部は筆記具本体の側部に設けてあればよく、筆記具本体の側部に直接設けたり、凸部を有する別部材を、筆記具本体の側部に配置するなどの手段が適宜選択できる。凸部は、後述する、外装体に設けた周方向傾斜壁によって、筆記具本体の前後動に伴い外装体の周方向に移動するものや、クリップに設けた傾斜壁によって、筆記具本体の前後動に伴い外装体の周方向に移動するもの、もしくは、外装体に設けた周方向傾斜壁とクリップに設けた傾斜壁の両方によって、筆記具本体の前後動に伴い外装体の周方向に移動するものであるので、凸部を筆記具本体の側部の直接設ける場合には、筆記具本体を外装体内で周方向に回動可能に配置し、凸部を有する別部材を筆記具本体の側部に配置する場合には、該別部材を筆記具本体の側部において周方向に回動可能に配置すればよい。
【００１０】
外装体には、筆記具本体側部に有する凸部が、筆記具本体の前後動に伴って移動する案内路が形成されており、案内路内には、凸部が係合することによって、ペン先の外装体先端開口部よりの突出状態と没入状態とをそれぞれ形成する、ペン先突出用係合部とペン先没入用係合部とが形成され、ペン先突出用係合部はペン先没入用係合部よりも前側に設けてある。
案内路としては、例えば外装体に設けたスリットや、クリップなどの外装体の側部に取り付けた部材の外装体と対向する側に設けた壁部材など、筆記具本体側部の凸部が移動し、衝接、通過できる手段が適宜選択できる。ペン先突出用係合部とペン先没入用係合部には、筆記具本体の凸部が、筆記具本体を前進させる操作を解した際に、弾撥部材による後方付勢力によって、筆記具本体の後方移動によって後退し、筆記具本体側部の凸部や、筆記具本体上の前記凸部の後方に設けた凸部などの後側面が係合することで、筆記具本体の後方移動が規制され、ペン先の突出状態及び没入状態が形成されるものである。
【００１１】
案内路の、凸部がペン先没入用係合部からペン先突出用係合部に至る道のりには、凸部を外装体の径方向に案内する径方向案内傾斜壁と、凸部を外装体の周方向に案内する周方向傾斜壁とが設けられている。該径方向案内傾斜壁は、筆記具本体の前進によって凸部の前側面が衝接して凸部を径方向に案内する第１の傾斜壁である。また、該周方向傾斜壁は、筆記具本体の前進によって凸部の前側面又は後側面が衝接して凸部を周方向に案内する第２の傾斜壁である。
また案内路の、凸部がペン先突出用係合部からペン先没入用係合部に至る道のりには、凸部を外装体の周方向に案内する周方向傾斜壁を、凸部がペン先没入用係合部からペン先突出用係合部に至る道のりに設けた周方向傾斜壁（第２の傾斜壁）よりも後方に設けられている。該周方向傾斜壁は、筆記具本体の前進によって凸部の前側面が衝接して凸部を周方向に案内する第３の傾斜壁であって、第２の傾斜壁と第３の傾斜壁による案内が、凸部をそれぞれ逆方向に案内するものである。
【００１２】
前記第３の傾斜壁の終端には、凸部の前方への移動を規制する前方規制面が形成されており、凸部は、前記規制壁を通過した直後に前記前方規制面によって、前方への移動が規制される。そして、筆記具本体の前進操作を解除した後は、コイルスプリングの後方付勢力によって筆記具本体が後方に移動する。
ここで、前記凸部は、前記前方移動規制面のクリップ外側方向上部と当接し、前方移動規制面の下部に乗り越え規制部を形成している。
例えば、前記凸部の前側面から前方に突出する押圧突起が形成し、その押圧突起が前方規制面に当接する際に、前記傾斜壁の下端部から上方に離間した位置で当接する構成とすることで、押圧突起によって、クリップの前方規制面が変形し、前方規制面に押圧突起が食い込む。もし不意に過大な押圧力がかかってしまった場合、クリップの外装体との連結部は固定されているため、凸部から受ける前方への力を逃がそうとして、クリップの先端には外装体から上方に押し上げられようとする力が働くが、食い込んだ押圧突起がクリップを上方へ押し上げられることを防ぐため、凸部が前方規制面を乗り越えにくくなり確実なノック作動ができる。
なお、前記前方規制面に凸部食い込むためには、前方規制面より凸部の材質の硬度を硬くすることが望ましい。具体的には、凸部が形成される部材の材質をポリオキシメチレンなどのポリアセタールとする場合、前方規制面が形成される部材の材質はポリプロピレンやポリエチレン、ポリカーボネートなどが挙げられる。
【実施例】
【００１３】
本発明の実施例を説明する。本実施例において、筆記具のペン先方向を前方、その反対を後方、そして筆記具の長手方向の軸線から筆記具の外側壁に配設されたクリップに向かう方向を上方、その反対側の軸線に向かう方向を下方とし、筆記具の軸線とクリップを結ぶ線及び軸線との垂線方向を横方として説明する。
図１に示すように、外装体１の内部には、ペン先３を先端に備えた筆記具本体２を前後動可能に収容している。外装体１の先端には、ペン先３の突出口としての先端開口部１ａが設けてあり、後端には、筆記具本体２の前後動させるための操作部材８の突出口としての後端開口部１ｂが設けてある。先端開口部１ａの内面には、蓋体９と当接する環状弾性体１０が嵌めこまれて固定されており、その蓋体８が閉じた状態では蓋体９と環状弾性体１０とが周状当接し、外部との通気を遮断している。
外装体１の内部には、後端部を筆記具本体２の肩部２ｃに当接したコイルスプリング１１が配置されており筆記具本体２を後方に付勢している。筆記具本体２の細径部２ａには、環状弾性体１２が嵌められており、コイルスプリング１１の前端部を環状弾性体１２に当接し、環状部材１３を介して蓋体９を前方に付勢している。環状弾性体１２が外装体１の内壁と気密状に摺接することで、ペン先３の存在する空間の後方密閉状態を形成し、蓋体９の外装体１の先端開口部１ａの閉塞によってペン先３の存在する空間を外気と遮断し得る。筆記具本体２には、凸部７ａを有するリングである回転子７が周上を回動可能且つ前後方向に移動規制された状態で配置されている。筆記具本体２の内部には、インキ吸蔵体１４にインキが含浸して収納されている。
外装体１の後方側面には、基部５とコイルスプリング６を介してクリップ４が配置されている。
【００１４】
外装体１の先端部の縦断面斜視図である図２及び外装体１の先端部の縦断面正面図である図３に示すように、先端開口部１ａの後方には、大径部の前方に小径部を有する環状弾性体１０を嵌め込むことができる固定部１Ｇが形成され、その後方には外装体１の内側面から向かい合うように軸受部１ｃが後方に向かって延設されている。軸受部１ｃには、蓋体９の回転軸９ｃの移動を規制するため前方及び上下に壁を設けている。なお、前方の壁（受面１ｄ）の上下に設けられた壁（開口ストッパー１ｈ及び閉塞ストッパー１ｉ）の間の距離は、回転軸９ｃが上下動するための距離が必要である。そのため、軸受部１ｃは上方に長い凹形状となっている。
また、受面１ｄには、外装体１の前方に向かって互いの側面の距離が小さくなるようなテーパと成した開凹部１ｅと閉凹部１ｆが形成されている。そして、開凹部１ｅと閉凹部１ｆとの間には、開凹部１ｅと閉凹部１ｆを結ぶテーパ面を延設し、受け面１ｄよりも後方に伸びた中央突部１ｇが形成されている。なお、その中央突部１ｇの頂部は蓋体９の回転軸９ｃに形成された凹カム部９ｇと当接するため、Ｒ曲面と成している。
開凹部１ｅ、閉凹部１ｆ、及び、中央突部１ｇが、軸受部１ｃに形成された歯に該当する部分（ラック部）である。
このラック部の両端には、蓋体９の開口時及び閉口時の動作の終点を規定する開口ストッパー９ｈと閉塞ストッパー９ｉがそれぞれ当接する、開口ストッパー当接壁１ｈと閉塞ストッパー当接壁１ｉが形成されている。閉塞ストッパー当接壁１ｉは、環状部材１３の側壁部１３ｂと対向するように、開口ストッパー当接壁１ｈよりも後方に長く形成されている。
開凹部１ｅは、蓋体９が開口状態にある時、蓋体９の回転軸９ｃに形成された開カム突起９ｆが開凹部１ｅの底部と当接し、また閉凹部１ｆは、蓋体９が閉塞状態にある時、蓋体９の閉カム突起９ｄの底部が当接し、蓋体９の前方への規制をしている。軸受部１ｃの後方は壁のない解放された部分となっているが、外装体１に蓋体９を配置する際に、蓋体９が後方より挿入配置を容易にするためである。なお、蓋体９の後方移動規制は、蓋体９の後方に配置する環状部材１３の接触面１３ｃにて行う。
【００１５】
外装体１の後部拡大斜視図である図４及び外装体１の後部拡大正面図である図５に示すように、外装体１の後方外周面には、回転子７の凸部７ａを案内する案内路である窓孔１ｋが形成されている。窓孔１ｋは、筆記具本体２を外装体１の後端開口部１ｂから挿入するときに、後述する回転子７の外周側面に形成した凸部７ａが入り易いように、外装体１の後端開口部１ｂから形成されている。窓孔１ｋは、後方が回転子７の凸部７ａよりも若干幅広く成した幅狭部１ｍ、前方は周方向片側に広い幅広部１ｎとなっている。窓孔１ｋの幅広部１ｎの前方には第２の傾斜壁１ｏが設けてある。第２の傾斜壁１ｏの幅狭部１ｍのある方と反対側の周方向後方には、ペン先３の先端開口部１ａからの突出状態を形成するペン先突出用係合部１ｐが形成されている。第２の傾斜壁１ｏは、幅狭部１ｍがある側から、ペン先突出用係合部１ｐがある側にかけて前方に傾斜しているため、回転子７の凸部７ａを、周方向に変移案内することができる。窓孔１ｋの幅広部１ｎ後方には、第４の傾斜壁１ｑが形成されている。第４の傾斜壁１ｑは、ペン先突出用係合部１ｐのある側から幅狭部１ｍのある側にかけて後方に傾斜しているため、回転子７の凸部７ａを、周方向に変移案内することができる。
また、外装体１の窓孔１ｋの幅狭部１ｍの後方には、幅狭部１ｍの幅をさらに小さくした突部１ｒが対向するように形成されている。この突部１ｒは、段部１ｓと、後方の側面が前方に向かうに連れて窓孔の幅を狭くした傾斜面１ｔとから成る略台形形状となっており、外装体１の後端開口部１ｂから挿入される回転子７の凸部７ａが通過し易く、さらにコイルスプリング１０によって後方に付勢された筆記具本体２の後方への移動を規制する役割をしている。また、この突部１ｒは、クリップ４を組み立てる際の仮抑えで、筆記具使用時はこの突部１ｒが破損しても、後述するクリップ４の基端部４ａに設けた突部４ｇがすぐ後ろに挿入され、ペン先没入用係合部１ｕとなり、筆記具本体２の後方への付勢を抑えることができる。
この窓孔１ｋ内において、ペン先突出用係合部１ｐと、ペン先没入用係合部１ｕとを有する案内路１ｖが形成される。
突部１ｒよりも後方の外周面には、外装体１の後端開口部１ｂから前方に向かって基部５を取り付けるための基部取付部１ｗが形成されている。
このように外装体１は、前方に外部との通気を遮断した状態でペン先３を収納する密閉部と後方に、クリップ４を取り付けるための基部が取り付けられる基部取付部１ｗ、及び基部取付部１ｗの前方に形成した案内路１ｖにより構成されている。本発明においては、外装体１は一部品で構成しているが、成形性や組立性に応じて複数の部品をネジ螺合や凹凸部による嵌合圧入で一体とした外装体１としても良い。
【００１６】
基部取付部１ｗは、窓孔１ｋにより断面が略Ｃ字状に成した外周面の両縁部を橋渡しするように形成した橋渡し部１Ａと、その両側に形成し橋渡し部１Ａの天面よりも一段下がった平面を持った係合部１Ｂとにより構成されている。このように形成することで、外装体１の後端開口部１ｂから形成した窓孔１ｋにより断面が略Ｃ状に成した外装体１後方の変形を抑えることができる。
また、基部取付部１ｗには、係合孔（前方係合孔１Ｃ、後方係合孔１Ｄ）が、係合部１Ｂ内に形成されている。
基部取付部１ｗの両側面には、基部５との接続部分を横から見えないようにする目隠し壁１Ｅが形成されている。
また、外装体１の外周面には基部取付部１ｗの前端部から窓孔１ｋに沿って、前方に向かった保護壁１Ｆが形成されている。没入状態において外装体１の外周面から突出した回転子７の凸部７ａを保護する役割となっている。さらに保護壁１Ｆの前方端面は前方に向かって漸次高さが低くなるよう傾斜となっており、非使用時にクリップに紙などを挟んだ際に引っ掛かることなく案内することができる。
【００１７】
筆記具本体２は、気体透過が少なく、成形性の良いポリプロピレンを使用し、先端にペン先３を有し、内部にインキ吸蔵体１４を備えている。
筆記具本体２の斜視図である図６と、筆記具本体２の縦断面正面図である図７に示すように、筆記具本体２は前後端に開口部を有した貫通穴を備えている。
筆記具本体２の外形は、細径部２ａと太径部２ｂとその間の肩部２ｃとが形成されており、細径部２ａは先端より突出したペン先３を主に収容し、太径部２ｂはインキ吸蔵体１４を収容している。
ペン先３の正面図である図８に示すペン先３は、筆記部３ａと筆記部３ａよりも細径のインキ吸蔵体１４と接続する接続部３ｂからなっている。ペン先３は筆記部３ａが後述するペン先ホルダー１５に圧入固定され、ペン先ホルダー１５の先端から露出した部分で筆記できるようになっている。
ペン先３の接続部３ｂは、後方の一部から後端に向かい先細となるテーパ部３ｄが形成されており、そのテーパ部３ｄの一部又はストレート部に至るまでインキ吸蔵体１４の先端に埋没状に接続され、インキが連通するようなしてある。接続部３ｂにテーパ部３ｄを設けることにより、インキ吸蔵体１４に接続し易くなる。インキ吸蔵体１４に接続部３ｂが挿入されていることによりインキ吸蔵体１４を内側から押圧し、インキ吸蔵体１４の押圧部分の繊維密度が徐々に高くなることで、インキ吸蔵体１４中に含浸したインキが、毛管力により、繊維密度の高い方へ移動し易くなり、ペン先３へのインキ供給が確実なものとなる。
ペン先ホルダー１５は、ペン先ホルダー１５の縦断面正面図である図９に示すように、筒状体で前方にペン先３を圧入固定する圧入固定部１５ａが形成され、ペン先３の筆記部３ａと接続部３ｂとの間に形成した段部１５ｃと圧入固定部１５ａの段部１５ｂが当接するまで挿入されている。ペン先ホルダー１５は筆記具本体２の細径部２ａ内部に圧入固定されている。そのペン先ホルダー１５は成形部品であり、材質としてポリプロピレンを使用している為、筆記具本体２内部にペン先ホルダー１５を圧入固定しようとすると筆記具本体２の細径部２ａが拡径する。その為、ペン先ホルダー１５の外径と筆記具本体２の細径部２ａの内側面に形成した保持リブ２ｄの内接径はゆるい圧入関係となっている。しかし、ペン先ホルダー１５の筆記具本体２からの抜け強度を保つ為に、ペン先ホルダー１５の中間部には、溝部１５ｃが設けられており、その溝部１５ｃに、筆記具本体２の保持リブ２ｄの後方に形成したＣ形状のペン先押さえ凸部２ｅが引っかかっている。これにより、ペン先ホルダー１５の筆記具本体２からの脱落が防止されている。
図７に示すように、筆記具本体２の大径部２ｂのインキ吸蔵体１４を収容する内側壁にはインキ吸蔵体１４が挿入される際の案内をする複数のリブ２ｆが後方に向かって大径部２ｂの外側面に位置するゲート部２ｕの手前まで形成されている。射出成型によってゲート部２ｕから流入した樹脂が後述する凸部２ｔに到達するまでの肉厚変化を極力無くし、成形時のフローマーク等の成形不良の発生を防止している。
また、太径部２ｂの外周面の前方には突起２ｌと反対の側面にブレ防止リブ２ｒが形成され、筆記具本体２が外装体１内で前後動する際の径方向へのブレを防止している。
さらに、筆記具本体２の太径部２ｂの後方内側面には、後述する操作部材８と螺合するための雌ネジ部２ｓと、その前方に内部空間を液密状態にするために凸部２ｔが周状に形成されている。
【００１８】
筆記具本体２の先端部分の斜視図である図１０に示すように、筆記具本体２の前端面には、蓋体９の内側カム部９ｊと衝接して蓋体９に回転力を与える凹曲面２ｇが設けられている。筆記具本体２の凹曲面２ｇは第１、第２の二つ曲率半径を有する凹曲面となっており、筆記具本体２の後方から前方に向かって、第１曲面の曲率半径が第２曲面の曲率半径よりも大きい曲面で、かつ、二つの曲面の間は極力角とならない様になだらかにつながっている。蓋体９の内側カム部９ｊは凹曲面２ｇ上を、第２曲面から第１曲面へと移動する。また、凹曲面２ｇの一部には、面取り部２ｈが形成されている。これは、蓋体９が回転し、内側カム部９ｊが筆記具本体２の凹曲面２ｇからの離脱をスムーズにするために設けている。これにより、内側カム部９ｊ及び凹曲面２ｇの角部の摩耗を低減することができ、繰り返しの使用でも動作不良無く、長く使用することができる。
筆記具本体２の細径部２ａの内側面とペン先ホルダー１５の外側面の間には、筆記具本体２の内部と外部を気体通行可能に筆記具本体２に空気溝２ｋが設けられている。
【００１９】
筆記具本体２の後方部分の斜視図である図１１に示すように、筆記具本体２の太径部２ｂの後方外周面には、突起２ｌが上方に向かって形成され、外装体１の側部に設けられた窓孔１ｋを通じて外装体１の外に突出している。この突起２ｌは、後方に付勢された筆記具本体２がペン先３没入状態を維持するためにペン先没入用係合部１ｕと係合している。
突起２ｌの前方には、後述する断面形状がＣ字状の回転子７を回動自在に配置するための凹部２ｍが形成されている。凹部２ｍは、断面が回転子７の断面形状に合わせ、Ｃ字状に形成されていて、回転子７が回転する範囲で干渉しないようになっている。
また、凹部２ｍは、前方が周方向に足の短いＣ字状部２ｎと、後方が周方向に足の長いＣ字状部２ｏとなっている。
【００２０】
操作部材８の正面図である図１２に示すように、操作部材８の後方には外装体１の後端開口部１ｂから露出し、筆記具本体２を押圧するためのノック部８ａと前方に挿入部８ｂが形成され、その挿入部８ｂは筆記具本体２の太径部２ｂの内向に挿入状態で液蜜に螺合し、操作部材８の内部空間にまでインキ吸蔵体１４が介在するようになしてある。操作部材８の挿入部８ｂの外周面に形成した雄ネジ部８ｃと筆記具本体２の雌ネジ部２ｓとの螺合は１条ネジにて構成されているが、多条ネジとしても良い。また、筆記具本体２と操作部材８が液密に着脱が可能であれば乗り越えリブとして嵌合させる構成とすることもできる。さらに、操作部材８と筆記具本体２を挿入状態で液密にするために、操作部材８の雄ネジ部８ｃの前方に筆記具本体２の凸部２ｔと嵌合する凹形状の当接部８ｄを設けているが、前記当接部８ｄは凸形状や平面とすることも可能である。当接部８ｄを凹形状とすることで、筆記具本体２に形成した雌ネジ部２ｓに接触して当接部８ｄの表面に傷などを付けることなく操作部材８を挿入することができる。
操作部材８の縦断面正面図である図１３及び操作部材８のインキ吸蔵体１４を挿入する方向である前方から見た図である図１４に示すように、操作部材８の内壁の底部と内側壁には、複数のリブ８ｅが形成され、特に内側壁のリブ８ｅは長手方向に延在しており、操作部材８の内部とインキ吸蔵体１４との間に筆記具本体２の内部空間と連通する通気路を形成していると共に、リブ８ｅによってインキ吸蔵体１４が挟持される形となっており、操作部材８を筆記具本体２から取り外す時にインキ吸蔵体１４が筆記具本体２とともに取り外されるようなしてある。一方、筆記具本体２の複数のリブ２ｆは、インキ吸蔵体１４を挿入する際の案内の役割でリブ２ｆの内接円径はインキ吸蔵体１４の外径よりも大きく設定しており、収容時には筆記具本体２の複数のリブ２ｆには保持されない。インキ吸蔵体１４は前端部から接続されたペン先３の接続部３ｂと操作部材８の複数のリブ８ｅにより保持されているのである。このようにすることによって、インキ吸蔵体１４中に含浸するインキが消費されて少なくなったりインキがなくなったりした際に、操作部材８と共にインキ吸蔵体１４を抜き出し、再度インキを含浸させたり、インキ吸蔵体１４ごと交換するなどとすることができるものである。操作部材８の内側壁の複数のリブ８ｅは、横断面が板状で内接円径及びインキ吸蔵体１４と接触する頂部面幅が一定となっている。その複数のリブ８ｅの前方端部は、前方に向かうに連れ操作部材８の内側面に潜り込むようなテーパ部８ｆが形成されている。テーパ部８ｆは、インキ吸蔵体１４を操作部材８に挿入する際の案内となっており、インキ吸蔵体１４を引っ掛かり無く操作部材８内に収容することができる。
複数のリブ８ｅの後方には、内接円径を小さくした受けリブ８ｇが操作部材８の内壁の底部から延設している。インキ吸蔵体１４の端部が受けリブ８ｇと接触することで、インキ吸蔵体１４の挿入完了としている。受けリブ８ｇを設けることにより、インキ吸蔵体１４の端部と操作部材８の内壁の底部との間に空間ができ、複数のリブ８ｅによる通気路としているのである。さらには、衝撃などによりインキ吸蔵体からインキが漏れた時には、インキを保持する役割も担っている。
操作部材８の天面には中心部に凹部８ｇが形成され、さらに凹部８ｇよりも径が大きく深さが浅い段部８ｈが形成されている。
凹部８ｇは、射出成形する際のゲート部となり、離型時に発生するゲート残りが操作部材８の端面よりも突出しないように深い溝となっている。また段部８ｈはシールを貼るための段部で、尾栓５の端面よりも突出しないようになっている。さらにシールを貼ることでゲート跡を隠すことができ外観を向上することもできる。
またインキ吸蔵体１４は、ポリエチレンなどの合成樹脂性フィルムで側壁を覆っており交換時にさわっても手を汚さないようになっている。
【００２１】
蓋体９の斜視図である図１５に示すように、蓋体９は外装体１の先端開口部１ａを塞ぎ得る球状の蓋部９ａと、円柱状の回転軸９ｃを外側に突状態で備える側壁部９ｂとを有している。なお、回転軸９ｃの頂部は、蓋体９が外装体１の内部で回転及び移動した際に外装体１と干渉しないように傾斜のある曲面で形成されている。蓋体９には切り欠き部９ｌが設けてあることによって、蓋体９の向きを視認することができ、組み立て性が向上している。
蓋体９の回転軸９ｃには、側壁部９ｂを図１６の方向（側面）から見た際に、蓋部９ａの方向に向かって突設した閉カム突起９ｄと、その閉カム突起９ｄと９０度の方向で外側カム部９ｅと逆方向に突設した開カム突起９ｆが形成されている。閉カム突起９ｄ及び開カム突起９ｆはそれぞれ回転軸９ｃから遠ざかるに連れて幅が小さくなるように傾斜が形成されている。また、回転軸９ｃの閉カム突起９ｄと開カム突起９ｆとの間には、回転軸９ｃの中心に向かって凹カム部９ｇが形成されている。その凹カム部９ｇは両側面が回転軸９ｃの中心に向かってその幅を狭くする方向にテーパとなっており、外装体１の軸受部１ｃの中央突部１ｇの頂部と接するため、略楕円状の曲面で連接されている。
閉カム突起９ｄ、開カム突起９ｆ、及び、凹カム部９ｇが、前述した回転軸９ｃに部分的に形成された歯車に該当する部分（歯車部）である。
回転軸９ｃにこのような閉カム突起９ｄ、開カム突起９ｆ及び凹カム部９ｇからなる歯車部を形成することにより、回転軸９ｃが転がるように回転及び上下動する動作を近似的に実現させることができる。
回転軸９ｃの歯車部の両端には、角部を形成し、蓋体９の開口時及び閉塞時の動作の終点を規定する開口ストッパー９ｈ、閉塞ストッパー９ｉが形成されている。
開口ストッパー９ｈは蓋体９の開口動作における終点を規制するもので、外装体１の軸受部１ｃに形成した平面の開口ストッパー当接壁１ｈと当接することで蓋体９の開口動作の終点を規定する。一方閉塞ストッパー９ｉは蓋体９の閉塞動作における終点を規制するもので、外装体１の軸受部１ｃに形成した平面の閉塞ストッパー当接壁１ｉと当接し、蓋体９の閉塞動作を規定する。
また、蓋体９の側壁部９ｂの間部分は空間部分となっており、蓋体９が回転及び移動して外装体１の先端開口部１ａを開放した際には、ペン先３及び筆記具本体２が通過できる通路を形成するものである。
また、外側カム部９ｅにはカム面９ｋがあり、カム面９ｋにて、コイルスプリング１１による前方付勢力を、環状部材１３を介して受け、蓋体９は回転方向に力を受けている。
蓋体９の内側を示す断面正面図である図１７のように、側壁部９ｂの内側には内方突起である内側カム部９ｊ形成されている。内側カム部９ｊは筆記具本体２の前進によって筆記具本体２と衝接する部分である。
本実施例では、側壁部９ｂ上で、内側カム部９ｊと蓋部９ａとを最も離れた位置に設けている。内側カム部９ｊと蓋部９ａとを極力離れた位置に形成することによって、蓋部９ａと、筆記具本体２と蓋体９の内側カム部９ｊとの接触点とまでの間に広い空間を設けることができ、蓋体９の閉塞状態において、ペン先３の最先端位置から、筆記具本体２と蓋体９の内側カム部９ｊとの接触点までの長手方向の距離を稼ぐことができ、筆記具本体２の先端に長いペン先３を設けることができる。また、内側カム部９ｊから回転軸９ｃまでの距離を長くとることができ、より小さいノック荷重で蓋体９を回転させることが可能となる。
内側カム部９ｊは筆記具本体２より荷重を受け、蓋体９を回転及び移動させる部位であるため、内側カム部９ｊが小さすぎると動作中に破損のおそれがあり、熱可塑性樹脂にて蓋体９を作る場合、内側カム部９ｊの断面積は０．２ｍｍ２以上が好ましい。しかし、内側カム部９ｊを大きくすると、内側カム部９ｊと筆記具本体２との接触点が蓋体９の回転及び移動の中で、蓋体９の回転軸９ｃ側へと移動することとなり、接点の回転中心との距離が短く変化するので、この接触点が移動する距離を極力小さくすることがノック荷重を軽くする点において好ましい。よって、内側カム部９ｊの直径は０．４ｍｍ以上５．０ｍｍ以下とし、接触点の移動距離が３ｍｍ以下となるようにすることが好ましい。
蓋体９は、自己潤滑性があり、摩擦摩耗性が優れているポリアセタールを使用している。
なお、本発明においては、蓋体９の開口動作が回転しながら外装体１の軸線から上方に移動させているため、蓋体９が密接している外装体１の先端開口部１ａの内縁から離れるように回転する。そのため、蓋体９と先端開口部１ａの内縁との摺動抵抗が小さくなり、蓋体９と先端開口部１ａの内縁の磨耗が抑えられ、密閉性が維持できる。よって、蓋体９には耐摩耗性が多少劣る材質であっても適宜選択することができる。その一例としては、気体透過の少ない材料であるポリプロピレンやポリブチレンテレフタレート、ポリエチレン、ポリエチレンテレフタレートを積極的に使用することが出来る。
そして、蓋体９は形状的に、略コの字型をしているため、部品の射出成形時に蓋体９の側壁部９ｂが内側に撓みやすい。この撓みを防止するために、金型の樹脂流入口であるゲートを蓋部９ａの外側中央部分に配置している。また、蓋体９と先端開口部１ａとの接触をより早く実現させるため、蓋部９ａの表面は平面に形成されている。さらに蓋部９ａの表面より突設した頭部９ｍが形成され、この頭部９ｍの頂部にゲートが配置されている。ゲート残りによる蓋体９と先端開口部１ａとが擦れることによる影響を無くすため、ゲート残りとなる部分の周囲に凹部９ｎを形成している。更に、ゲートの径として比較的大きく、成形において、熱可塑性樹脂を流動後の保圧を十分に取ることが出来るようにした方が成形後の撓みが少なくなるため、ゲート径を０．５ｍｍ以上０．８ｍｍ以下とした方が良い。
また、蓋部９ａは、成形時のヒケやフローマークを極力防止するために肉厚を均一にしたほうが良い。しかし、本実施例のように、側壁部９ｂの外側に回転軸９ｃを形成していると、その部分が肉厚部となるため、樹脂が収縮する際に外方向に引っ張られて、側壁部９ｂの内側で向かい合う内側カム部９ｊの距離が開いてしまう恐れがある。そして、内側カム部同士の距離が開いていると、筆記具本体２が衝接する際に力が加わりにくくなるため、蓋体の回転を阻害してしまう恐れがある。そこで、本実施例では、内側カム部９ｊ同士の距離をコントロールするため、蓋部９ａの裏側には、十字状の梁９ｏを形成させている（図１５、図１７〜１８参照）。回転軸９ｃの形状によって、この梁９ｏの巾を増減することで、熱収縮による外方向に引っ張られる現象は抑制され、内カム部９ｊ同士の距離をコントロールすることが可能となる。そして、蓋体９は安定した連続成形を実現することができる。なお、本実施例では、この梁９ｏの巾を１．５ｍｍの十字にしているが、縦横の巾が異なっていてもよい。
【００２２】
環状部材１３の斜視図である図１９に示すように、環状部材１３は環状弾性体１２と接続する接続部１３ａと、蓋体９に前方付勢力を付与する側壁部１３ｂを有している。側壁部１３ｂの前端には接触面１３ｃが設けられている。接触面１３ｃ上には突起１３ｄを有している。側壁部１３ｂは後方のコイルスプリング１１の弾発力を、接触面１３ｃを介して蓋体９の外側カム部９ｅに伝え、蓋体９に外装体１の先端開口部１ａを閉塞する方向へと回転力を与えている。
また、接続部１３ａには筆記具本体２の細径部２ａが通行可能な中孔部１３ｅを形成している。
側壁部１３ｂの外側面は平面が形成され、前後方向に段部１３ｆを形成している。この段部１３ｆは、外装体１内に配置した時、後述する外装体１の軸受部１ｃの端部に形成した閉塞ストッパー当接壁１ｉと対向するようになっており、環状部材１３が外装体１内で外装体１の軸線を中心に回転することを防止している。
なお、環状部材１３は蓋体９と摺接し、蓋体９を回転及び上下動させる部材であるため、自己潤滑性があり、摩擦摩耗性が優れているポリアセタールを使用している。
【００２３】
環状弾性体１２の縦断面斜視図である図２０に示すように、環状弾性体１２は、外側に、蓋体９が外装体１の先端開口部１ａを閉塞した状態で、外装体１の内面と気密に接触する外側密閉リブ１２ａと環状弾性体１２が外装体１内を摺動する際に傾きすぎることを防止した外側傾き防止リブ１２ｂとを有しており、また、環状弾性体１２の内側に、筆記具本体２と気密に摺接する内側密閉リブ１２ｃを有している。内側密閉リブ１２ｃは二条リブとなっているが、このリブの間に後述の難揮発性液状物が滞留することで、筆記具本体２との密閉を確実になすと共に、摺動抵抗を低く抑えている。また、外側密閉リブ１２ａと内側密閉リブ１２ｃの形成位置を軸方向前後にずらすことによって、外装体１との接触による外側密閉リブ１２ａの内側への撓みと、筆記具本体２との接触による内側密閉リブ１２ｃの外側への撓みが径方向でぶつかり合うことが無いため、筆記具本体２の移動時及び環状弾性体１２が後方へ移動する際の摺動抵抗を小さくしている。
環状弾性体１２の前端部には、環状部材１３の接続部１３ａと接続するための段部１２ｄが形成されている。また、環状弾性体１２の後方に、コイルスプリング１１を受ける受け溝１２ｅが形成され、この受け溝１２ｅの底面にコイルスプリング１１の前端部が当接している。このように受け溝１２ｅを形成することで、コイルスプリング１１と環状部材１３との距離が近くなり、コイルスプリング１１の付勢力による環状弾性体１２の変形を極力小さくすることができ、環状部材１３に付勢力を伝わり易くしている。
環状弾性体１２と外装体１及び筆記具本体２にて、ペン先密閉空間の後方密閉を行っているが、環状弾性体１２の内側密閉リブ１２ｃは筆記具本体２と摺動しつつ密閉を行い、外側密閉リブ１２ａは外装体１と摺動しつつ密閉を行う。つまり、密閉を行う為に、内側密閉リブ１２ｃの内径（図２０のＡ部）は筆記具本体２の外径（図１０のＢ部）よりも小さく、外側密閉リブ１２ａの外径（図２０のＣ部）は外装体１の内径（図３のＤ部）よりも大きく設定されるが、この各部材間の直径差、つまりＢ−Ａ及びＣ−Ｄ、が大きいと密閉は強固になるが、筆記具本体２の前後動時に負荷となる摩擦の大きさは大きくなる為、摺動は悪くなる。よって、良好なノック感を得る為に、ノック荷重が１ｋｇｆ以下となり、かつ十分な密閉が得られる範囲として、各部材間の直径差が０．１ｍｍ以上０．４ｍｍ以下が好ましく、本実施例では、内側密閉リブ１２ｃと筆記具本体２の直径差を０．３ｍｍとし、外側密閉リブ１２ａと外装体１の直径差を０．２ｍｍとしている。
【００２４】
キャップ内空間を気密に保つ環状弾性体１０と環状弾性体１２の材質としては、ブチルゴム以外、イソブチレンゴム、ブタジエンゴム、スチレン・ブタジエンゴム、二トリルゴム、クロロプレンゴム、ブチルゴム、エチレンプロピレンゴム、クロロスルホン化ポリエチレン、塩素化ポリエチレン、アクリルゴム、シリコンゴム、アクリロニトリルブタジエンゴム、ウレタンゴム、フッ素ゴム、エピクロロヒドリンゴム、多硫化ゴムや、オレフィン系熱可塑性エラストマー、スチレン系熱可塑性エラストマーのゴムやエラストマー等及びこれらの混合物などが選択でき、インキに対する耐薬品性、密閉性に影響する耐ガス透過性に優れている物であれば良いが、ブチルゴムであると耐薬品性、耐ガス透過性ともに優れているので良好な密閉を行うことができる。また、特に、ハロゲン化ブチルゴムは圧縮永久歪みが小さいので、摺動の際の弾性変形を、静止時には元の形状に戻りやすく、良好な密閉と摺動を行うことができるものである。
また、環状弾性体１２を蓋体９に近い位置に配置することによって、ペン先３の収容空間を小さいものとし、収容空間内でのペン先乾燥を極力抑制するものである。特に、細いペン先３の場合には、ペン先３の収容空間の大きさが収容空間内でのペン先乾燥に大きく影響するので、より効果的にペン先乾燥を抑制するものである。
【００２５】
各部材の摺接する部分には、難揮発性液状物を塗布することにより、摺接時の摩擦を抑えることが可能である。難揮発性液状物としては、凝固点が−２２℃以下、沸点が１４５℃以上、粘度が１０ｍＰａ・ｓ以上５００，０００ｍＰａ・ｓ（２０℃）以下のものであれば良く、合成潤滑油、鉱物油、グリセリン、リノール酸、リノレン酸、オレイン酸等の不飽和脂肪酸や各種飽和脂肪酸より構成される大豆油、菜種油、コーン油、紅花油、米油、綿実油、胡麻油、ピーナッツ油、オリーブ油、パーム油等の植物油などが挙げられ、合成潤滑油としては、Α−オレフィン（ポリ−Α−オレフィン）、ポリブテン（ポリイソブチレン）、アルキルベンゼンなどの炭化水素系合成潤滑油、ジエステル（二塩基酸エステル）、ポリオールエステル（ヒンダードエステル）などの脂肪酸エステル系合成潤滑油、シリコーンオイル、ケイ酸エステル、シランなどのシリコーン系合成潤滑油、クロロフルオロカーボン、パーフルオロポリエーテル、フルオロエステルなどのフッ素系合成潤滑油、フェニルエーテル、リン酸エステルなどが挙げられる。これらは、単独もしくは複数を混合して使用することもできる。また、これらをゲル化したものであってもよい。
特に、摺接部を構成する部材に合成樹脂やゴム、エラストマー等が使用されている場合には、インキ等の溶剤に対して化学的に安定で、離型性、非粘着性の性質を持ち、表面張力が低く物質表面で広がりやすい性質を持つポリジメチルシロキサン、ポリメチルハイドロジェンシロキサン、ポリメチルフェニルシロキサン、環状ジメチルシロキサンなどのストレートシリコーンオイルや、側鎖及び又は両末端を有機基により変性させた、アミノ変性、エポキシ変性、カルビノール変性、メルカプト変性、カルボキシル変性、メタクリル変性、ポリエーテル変性、フェノール変性、シラノール変性、アラルキル変性、フロロアルキル変性、長鎖アルキル変性高級脂肪酸エステル変性、高級脂肪酸含有などの変性シリコーンオイルが好適に使用される。また、ポリジメチルシロキサン、ポリメチルハイドロジェンシロキサン、ポリメチルフェニルシロキサン、環状ジメチルシロキサンなどのストレートシリコーンオイルは、温度による粘度変化が少ないので、環境変化等に影響され難いものである。
なお、該部以外でも、液密性を付与したり、摺動抵抗を低減したい部材にこれらの難揮発性液状物を配置することができる。
本実施例においては各部材の摺接する部分には、難揮発性液状物として凝固点が−５０℃以下、沸点が２００℃、粘度が３０，０００ｍＰａ・ｓ（２０℃）であるポリジメチルシロキサンを塗布して介在させており、気密性と摺動の低摩擦係数とを実現している。
【００２６】
クリップ４の斜視図である図２１及びクリップ４の下方から見た図２２、クリップ４の下方から見た斜視図である図２３に示すクリップ４は、外装体１の窓孔１ｋを覆うように配設される。クリップ４の基端部４ａには、外装体側へ延びるコイルスプリング保持突起４ｃが形成されており、コイルスプリング６に挿入される。コイルスプリング保持突起４ｃには、両側面に突起４ｉと、根元にコイルスプリング圧入部４ｊが形成されている。コイルスプリング圧入部４ｊは、コイルスプリング６の内径よりもやや大きい外径を有しており、コイルスプリング６にコイルスプリング保持突起４ｃが挿入されると、圧入の関係となってコイルスプリング６を保持することができる。また、突起４ｉがあることによって、圧入後のコイルスプリング６が横ブレするのを防ぐことができるものである。さらに、コイルスプリング保持突起４ｃには、外装体１の長手方向にスリット４ｈが設けてある。
基端部４ａには貫通孔４ｇが設けてあり、基部５の突起５ｅが挿入されることで、クリップ４が基部５に取付られ、コイルスプリング６による上方付勢力を受けたクリップ４が、突起５ｅが挿入された貫通孔４ｇを回転軸として反基端部４ｂが外装体１側へ付勢される。ここで、スリット４ｈがあることによって、クリップ４が基部５に取り付けられる際、貫通孔４ｇに突起５ｅを挿入するために、クリップ４の基端部４ａが一時的に横方向に広がりやすくなり、クリップ４の基部５への取り付けを容易なものとしている。
クリップ４の反基端部４ｂには、回転子７の凸部７ａを外装体１の径方向に案内する第１の傾斜壁４ｄが突出している。第１の傾斜壁４ｄの前方には、第２の傾斜壁１ｏが位置する。またペン先突出用係合部１ｐの前方の位置であって、第２の傾斜壁１ｏの後方かつ第１の傾斜壁の前方の位置には、ペン先突出用係合部１ｐのある側から、前方に向って傾斜した第３の傾斜壁４ｅが突出している。第３の傾斜壁４ｅは、回転子７の凸部７ａの前側面が衝接することによって、凸部７ａを、第２の傾斜壁１ｏによる周方向への案内と、逆方向の周方向へと案内するので、外装体１に形成した案内路１ｖの周方向の幅を狭くすることができ、外装体１を細身とすることができるものである。さらに、第３の傾斜壁４ｅが第２の傾斜壁１ｏの後方に設けてあるので、回転子７の凸部７ａを、ペン先没入用係合部１ｕからペン先突出用係合部１ｐへ案内する際より、凸部７ａを前方へ案内することなく、ペン先突出用係合部１ｐからペン先没入用係合部１ｕへ案内することができるため、ペン先３の没入操作が容易となるものである。
第３の傾斜壁４ｅの途中には、規制壁４ｆが設けてある。規制壁４ｆは凸部７ａの頂部と接触し、僅かにクリップを持ち上げるように高さを設定している。凸部７ａが規制壁４ｆを通過する際、僅かに持ち上げたクリップが元に戻る衝撃で衝撃音を発し、ノック解除の合図としている。
さらに、第３の傾斜壁４ｅの終端には、回転子７の前方への移動を規制する前方規制面４ｋが形成されており、凸部７ａは、前記規制壁４ｆを通過した直後に前記前方規制面４ｋによって、前方への移動が規制され、かつ、前記第１の係斜壁４ｄによって、周方向への移動が規制される。そして、筆記具本体２の前進操作を解除した後は、コイルスプリング１１の後方付勢力によって筆記具本体２が後方に移動するが、その際に、規制壁４ｆによって、凸部７ａがペン先突出用係合部１ｐ側へ移動せず、確実に第４の傾斜壁１ｑへと案内される。
本実施例では、クリップ４の材質は外観を考慮して、透明性及び成形性の優れたポリカーボネートを使用している。
【００２７】
基部５の斜視図である図２４と、基部５の側面図である図２５、基部５の縦断面図２６及び基部５の下方から見た図２７に示すように、基部５には、基部取付部１ｗの前方係合孔１Ｃと後方係合孔１Ｄに係合するよう、基部５の両側面に沿って下方向に突設した前後の係合突起（前方係合突起５ａ、後方係合突起５ｂ）が形成されている。後方係合突起５ｂには、周方向に向いた爪部５ｄが形成され、前方係合突起５ａには、前方に向かって爪部５ｃが形成されている。
基部５の下方面の中央前方には、外装体１の窓孔１ｋの幅狭部１ｍに入り込むよう下方向に突設した突部５ｆを形成しており、外装体１の窓孔１ｋの幅狭部１ｍの両側縁部と囲むようにして、ペン先没入用係合部１ｕとしての役割となっている。
更に、基部５の下方面中に当接面５ｇを形成し、外装体１の基部取付部１ｗの橋渡し部１Ａが当接することで、基部５と外装体１の取り付け完了としている。突部５ｆ及び後方係合突起５ｂの後方には傾斜段部５ｈ、傾斜段部５ｉがそれぞれ形成されている。この傾斜段部５ｈ、傾斜段部５ｉがあることで、基部５を外装体１に取り付ける際に、前方係合突起５ａの爪部５ｃが引っ掛かりなく前方係合孔１Ｃ内に挿入することができ、セットし易くしている。
【００２８】
回転子７の斜視図である図２８及び回転子７の上方から見た図である図２９に示すように、回転子７は、筆記具本体２の凹部２ｍの断面と同じようにＣ字状部７ｂを有し、その両端部から幅の狭い延長部７ｃが形成されている。これは、回転子７を筆記具本体２の凹部２ｍに前後逆方向に組み付けた時、回転子７の幅の短い延長部７ｃが筆記具本体２の凹部２ｍの足の短いＣ字状部２ｎ及び足の長いＣ字状部２ｏと干渉することで、誤った組み付けを防止する役割をしている。
回転子７が外装体１内を前後及び周状に移動する際のゲート残りによる抵抗を無くすため、Ｃ字状部７ｂの側面に凹部７ｊを形成させゲート部としている。
回転子７の外側面には、外装体１の窓孔１ｋに挿入され各傾斜壁に案内されるための凸部７ａが、外装体１の側部に設けられた窓孔１ｋを通じて外装体１の外に突出している。
凸部７ａの前側面７ｅは、上方に向かって前方へ向かう傾斜となっており、クリップ４の前方規制面４ｋと平行に向かい合うように設定されている（図５２参照）。さらに、前側面７ｅの上側には、前方へ延びる下端面からなる押圧段部７ｆと、その押圧段部７ｆの前端から上方に垂直に延びる押圧突起前側面７ｇからなる押圧突起７ｈが形成されている（図３０参照）。
凸部７ａの横断面は前後に延びた長方形で前方両角部に４５°のテーパ面を設け、後方に後方傾斜面７ｄを設けているが、この形状の限りではなく設けなくともよい。外装体１の窓孔１ｋ内に形成した案内路を通過することができ、さらにペン先突出用係合部１ｐに係止され、ペン先突出状態を保つことができればよい。
Ｃ字状部７ｂは前端部から突部７ａに向かって平面部７ｉが形成されている。これにより、凸部７ａが外装体１の第２の傾斜壁１ｏに沿って移動する際、凸部７ａの根元のＲ部に干渉しないようにしている。
回転子７は、クリップ４の反基端部４ｂに形成された第１の傾斜壁４ｄ、第３の傾斜壁４ｅ及び外装体１に形成された第２の傾斜壁１ｏ、第４の傾斜壁１ｑに沿って筆記具本体２に形成した凹部２ｍ内で回転するため、摺動特性の優れたポリオキシメチレンを使用している。
【００２９】
次に、本筆記具の各部品を展開した斜視図である図３１に示し、外装体１に各部品を組み立てる方法を説明する。
まず、外装体１に環状弾性体１０を外装体１の後端開口部１ｂから挿入し、外装体１の先端開口部１ａの後方に成形した固定部１Ｇに圧入固定する。続いて蓋体９、環状部材１３、環状弾性体１２及びコイルスプリング１１を順に外装体１の後端開口部１ｂから挿入する。
次に、ペン先３、ペン先ホルダー１５及びインキを充填したインキ吸蔵体１４、操作部材８を筆記具本体２に組み付け、筆記具本体２の後方外側部に形成した凹部２ｍに回転子７をセットした筆記具本体２を外装体１の後端開口部１ｂから挿入し、筆記具本体２の突起２ｌが外装体１の突部１ｒを乗り越え、仮係合させることでコイルスプリング１１により後方に付勢された筆記具本体２を外装体１内に収容することができる。
この状態において、ペン先３が存在する空間を外気と遮断する密閉空間ができる。
最後にクリップ４をコイルスプリング６及び基部５を介して外装体１の基部取付部１ｗに上方から押圧し嵌め込む。この時の様子を、基部５の前方係合突起５ａ及び後方係合突起５ｂの縦断面正面図を示した図３２と、基部５の中心からカットした縦断面図を示した図３３により説明する。図３２及び図３３の（１）は基部５を外装体１に組み付ける前の図で（２）は組み付ける途中、（３）は組み付け完了した状態を示し、図３２、図３３とではそれぞれ同じ瞬間を示している。
図３２及び図３３の（１）の状態から基部５を下方へ移動させると、基部５の突部５ｆが外装体１の橋渡し部１Ａの前端面に当接し、続いて前方係合突起５ａ及び後方係合突起５ｂが外装体１の前方係合孔１Ｃ及び後方係合孔１Ｄにそれぞれ入り込んでいく。突部５ｆ及び後方係合突起５ｂには傾斜段部５ｈ、傾斜段部５ｉが形成されているため、前方係合突起５ａに形成した爪部５ｃは前方係合孔１Ｃに引っ掛かることなく挿入することができる。
図３２及び図３３の（２）まで押し込むと、傾斜段部５ｈ、傾斜段部５ｉにより、基部５が前方に移動しつつ入り込む。このとき前方係合突起５ａは爪部５ｃにより後方に押され、変形しながら入り込むが、図３２及び図３３の（３）の状態まで一気に押し込むため、前方係合突起５ａの変形を最小限にすることができる。
また、外装体１に基部５を配設し後方から見た正面図で図３４に示すように、外装体１に配設された基部５は、当接面５ｇとクリップ取付部１ｗの橋渡し部１Ａが当接し、前方係合突起５ａ及び後方係合突起５ｂと、１Ｃ及び１Ｄの係合により外装体１に対して固定される状態において、基部５とクリップ取付部１ｗの係合部１Ｂとの間に若干の隙間Ｆを設けている。このように隙間Ｆを設けることで基部５を外装体１に取り付ける際、基部５の両側面の下方向への撓み代とすることができ、基部５をより確実にクリップ取付部１ｗに取り付けることができる。
【００３０】
図３５及び図３６に、筆記具本体２が前進するに伴い蓋体９が回転及び上方へ移動し、外装体１の先端開口部１ａを開口して、ペン先３及び筆記具本体２が先端開口部１ａより突出する様子を示す。なお、説明の都合上、図３５は縦断面正面図とし、ペン先３を未表示とし、図３６は外装体１及び環状弾性体９を縦断面正面図として示している。なお、図３５と図３６の各段階（１）〜（６）は同じ瞬間を示している。
また、図３７〜図４２はそれぞれ、図３５の段階（１）〜（６）の前方拡大正面図であり、蓋体９の回転軸９ｃの回転及び上方方向への移動の様子を詳細に示している。
また、蓋体９の背面に隠れて本来は見えない外装体１の軸受部１ｃは、説明の都合上、破線で記載している。
【００３１】
筆記具本体２の前進によって筆記具本体２の凹曲面２ｇと蓋体９の内側カム部９ｊが衝接し、蓋体９を軸受部１ｃの上方に長い凹形状に沿って上方に移動させようとする。このとき、回転軸９ｃの閉カム突起９ｄが軸受部１ｃの閉凹部１ｆ内に収まっている（段階（１）及び図３７）。そのため、回転軸９ｃが上方向に力を受けると、閉カム突起９ｄが閉凹部１ｆと中央突部１ｇを延設した傾斜面１ｊを押圧する。しかし、閉カム突起９ｄは閉凹部１ｆ又は中央突部１ｇにより上方へ移動することができず、閉カム突起９ｄと傾斜面１ｊの接触部を中心に回転することとなる。これにより、閉カム突起８ｄは曲面のため閉中央突部１ｇ傾斜面１ｊを登るように傾斜面１ｊとの接触部が移動する（段階（２）及び図３８）。
筆記具本体２が段階（３）及び図３９の状態まで前進すると、回転軸９ｃの閉カム突起９ｄと傾斜面１ｊとの接触が解かれる。そして、軸受部１ｃに形成された中央突部１ｇのＲ曲面状の頂部が回転軸９ｃの凹カム部９ｇに接触することで蓋体８が上方へ移動しながら回転する。
さらに、筆記具本体２が段階（４）及び図４０の状態まで前進すると、回転軸９ｃの開カム突起９ｆが軸受部１ｃの開凹部１ｅに入り込むように回転軸９ｃが回転及び上方へ移動する。
段階（５）及び図４１の状態では、回転軸９ｃの開カム突起９ｆが軸受部１ｃの開凹部１ｅに入り込む直前の状態となり、蓋体９の外側カム部９ｅが環状部材１３の接触面１３ｃにより押圧され、接触面１３ｃ上を滑り、環状部材１３を押し上げるように突起１３ｄと接触する。
蓋体９の内側カム部９ｊと筆記具本体２の凹曲面２ｇが接触しない位置で筆記具本体２のさらなる前進によって、外装体１の先端開口部１ａからペン先３及び筆記具本体２の先端を突出させる（段階（６）及び図４２）。
蓋体９の外側カム部９ｅが、環状部材１３を押し上げるように１３ｄと接触することにより、筆記具本体２が後退する過程で、蓋体９を閉塞する方向へ回転させることができる。
【００３２】
本実施例では、回転軸９ｃに形成した突起及び、外装体の軸受部に形成した凹部をそれぞれ２つとして構成しているが、突起及び凹部は２つ以上形成することもできる。突起及び凹部の数を増やすことで、突起及び凹部の接触が次々に変わり、回転と直線の運動動作をよりスムーズに行うことができる。これはいわゆる歯車でいう「ラック＆ピニオン」といわれるものである。
【００３３】
本実施例では、蓋体８の回転軸８ｃに２つのカムを設け、閉塞及び開口状態において、それぞれのカムが外装体１の軸受部１ｃの凹部に収まる構成であるため、開口及び閉塞動作の開始時、蓋体８に掛る直線の力をより確実に回転及び上下動する力に変えることができ、蓋体８の回転及び移動動作を確実に行うことができる。
このように回転軸が軸受部に対して転がるように動作させることで、回転軸と軸受部の摩擦抵抗が無くなり、かつ、蓋体８の回転及び移動を容易にすることができる。さらには蓋体８の繰り返しの開閉による回転軸の軸受部に対する摩耗が無いため回転軸の破損が防止でき、耐久性を向上させることができる。また、回転軸が磨耗することで径が細くなり、軸受部に対してがたつきが発生することによる誤動作を防止することができ耐久性を向上することができる。
【００３４】
次に、本筆記具２の後方操作部にクリップ４の反基端部のみを上方から見た正面図である図４３に示すように、外装体１の窓孔１ｋ部分を拡大した図４４〜図５１に基づき、回転子１３の凸部１３ａが、ペン先３の没入状態を形成する没入位置から、ペン先３が外装体１の前端開口部１ａから突出した状態を形成する突出位置、さらにペン先３が突出した状態から没入状態までの一連の案内路を移動する動作について説明する。
筆記具本体２の後端部に接続され外装体１の後端開口部１ｂから突出した操作部材８を押圧すると、筆記具本体２が後方への付勢力に対抗して前進する。窓孔１ｋ内の退没位置にある回転子７の凸部７ａは、筆記具本体２の前進により回転子７が前進することで、窓孔１ｋ内を前進する（図４４）。凸部７ａは、前方に位置したクリップ反基端部４ｂの裏面から突出した第１の傾斜壁４ｄに接触し（図４５）、クリップ４の反基端部を径方向外方に押し上げながら前進する。
凸部７ａは、第３の傾斜壁４ｅの天面に沿って第３の傾斜壁４ｅを通過し、更に前方へ移動する（図４６）。そして、前進した凸部７ａは、外装体１の窓孔１ｋ前端部に形成した第２の傾斜壁１ｏに当接する。なお、前記第１の傾斜壁４ｄの頂上部分は、前記前方規制面４ｋの頂上に形成された面４ｌ（前方規制面頂上面４ｌ）、及び、第３の傾斜壁４ｅの頂上に形成された面４ｍ（第３傾斜壁頂上面４ｍ）とつながっており、それら前記第１の傾斜壁４ｄの頂上部分と前方規制面頂上面４ｌと第３傾斜壁頂上面４ｍからなる面は、第２の傾斜壁ｌｏと向かい合う位置に配置されている。そのため、第２の傾斜壁ｌｏに当接した凸部７ａは、第２の傾斜壁１ｏに沿って移動すると同時に、凸部７ａの頂上面７ｋが前記第１の傾斜壁４ｄの頂上部分と前方規制面頂上面４ｌと第３傾斜壁頂上面４ｍからなる面に沿って移動し、ペン先突出用係合部１ｐの前方に案内され、外装体１の幅広部１ｎの側壁と当接し、凸部７ａの前方への移動が規制されることで筆記具本体２の前進動作が完了する（図４７）。
ここで、操作部材８への押圧を解除すると、後方に付勢された筆記具本体２は筆記具本体２の軸線に沿って後退する。このとき、筆記具本体２に伴って回転子７も同時に後退し、ペン先突出用係合部１ｐに係合することで、ペン先３が外装体１の先端開口部１ａからの突出状態となり、回転子１３の凸部１３ａの退没位置から突出位置までの動作が完了する（図４８）。
なお、第３傾斜壁頂上面４ｍは、前方規制面頂上面４ｌの終端から上方に傾斜しながら延設されており、さらに詳述すると、傾斜角度の異なる２つの傾斜から形成されている（図２３参照）。前方規制面頂上面４ｌの終端からの延設する第３傾斜壁頂上面４ｍの前半部分の傾斜（段部４ｎとする）は後半部分の傾斜（傾斜後半４ｏとする）より急激に上方に傾斜する角度で形成されている。そのため、凸部７ａが段部４ｎを通過する際に勢いよく下方に向かい、第３傾斜壁頂上面４ｍの後半部分の傾斜である傾斜後半４ｏｎにぶつかることで衝撃音を発する。この凸部７ａが段部４ｎを通過する衝撃音は、操作部材８の押圧動作の完了を知らせる役割をしている。
ただし、段部４ｎを設けず、第３傾斜壁頂上面４ｍを後半部分の傾斜のみで形成しても、衝撃音が無くなるだけで、ペン先の突出動作を行うことは出来る。
また、押圧解除して、凸部７ａが後退する際、凸部７ａは第３傾斜壁頂上面４ｍの傾斜によって、外装体１の幅広部１ｎの側壁に向かって押さえつけられた状態を維持されるため、凸部７ａはより確実にペン先突出用係合部１ｐに係合することが出来る。
【００３５】
ペン先３が外装体１の先端開口部１ａからの突出状態から没入状態とするため、外装体１の後端開口部１ｂから突出した操作部材８を押圧すると、前進した筆記具本体２に伴い、回転子７及び回転子７の凸部７ａも前進する。
凸部７ａの前方には、クリップ４の反基端部４ｂの裏面に形成した第３の傾斜壁４ｅが位置し、凸部７ａが第３の傾斜壁４ｅと当接する（図４９）。さらに凸部７ａが前進すると、第３の傾斜壁４ｅに沿って凸部１３ａが周方向へ移動し、第１の傾斜壁４ｄの側面と当接すると同時に、凸部７ａの押圧突起７ｈがクリップ４の前方規制面４ｋと当接し、凸部７ａの前方への移動が規制されることで筆記具本体２の前進動作が完了する（図５０）。
次に、操作部材８への押圧を解除すると、後方に付勢された筆記具本体２は筆記具本体２の軸線に沿って後退する。このとき、筆記具本体２に伴って回転子７も同時に後退し、突起７ａは、第１の傾斜壁４ｄと規制壁４ｆに沿って後退し、外装体に形成した第４の傾斜壁１ｑに当接する（図５１）。そして、凸部７ａは第４の傾斜壁１ｑに沿って、退没位置まで戻る。
なお、規制壁４ｆは、凸部７ａの押圧突起７ｈがクリップ４の前方規制面４ｋと当接し、筆記具本体２の前進動作が完了する直前となる位置に設けている。つまり、凸部７ａの頂部が第３の傾斜壁４ｅの途中に形成した規制壁４ｆと接触、通過する際、僅かに持ち上げたクリップが元に戻る衝撃で衝撃音を発生した時に、凸部７ａの押圧突起７ｈがクリップ４の前方規制面４ｋと当接するため、使用者に感覚的に押圧動作の完了を知らせる役割をなしている。これにより、使用者に押圧動作の完了を意識させることができ、操作部材８への押圧の解除へとつなげる事ができ、速やかなノック操作を実施することが出来る。
ただし、感覚的な知らせであるため、勢いあまって、不意に過大な押圧をしてしまう可能性がある。そのため、本実施例では、凸部７ａが、前記前方移動規制面４ｋのクリップ外側方向上部と当接し、前方移動規制面の下部に乗り越え規制部を形成するために、凸部７ａの押圧突起７ｈが前記第３の傾斜壁４ｅの終端に形成された前方規制面４ｋに当接する際に、前方移動規制面の下端部から上方に離間した位置で当接する構成としている。つまり、前方移動規制面の下端部から上方に離間した位置が、前方移動規制面４ｋのクリップ外側方向上部に該当し、また、前記押圧突起７ｈの当接した位置より下方に位置する前方移動規制面４ｋが、前方移動規制面の下部に形成された乗り越え規制部に該当する。これにより、勢いあまって、不意に過大に押圧された際に、押圧突起７ｈによって、クリップ４の前方規制面４ｋが変形し、前方規制面４ｋに押圧突起７ｈが食い込む。不意に過大な押圧力がかかってしまった場合、クリップの外装体との連結部は固定されているため、凸部から受ける前方への力を逃がそうとして、クリップの先端は外装体から上方に押し上げられようとするが、食い込んだ押圧突起７ｈの押圧段部７ｆがクリップを上方へ押し上げられることを防ぐため、凸部７ａが前方規制面４ｋを乗り越えにくくなり確実なノック作動ができる。
本実施例では、前記前方規制面４ｋは、上方に向かって前方へ向かう傾斜となっているため、前記押圧突起７ｈが前方規制面４ｋに接触した瞬間に傾斜にそって、クリップを下方に押し付ける方向の力が発生するため、さらに凸部７ａが前方規制面４ｋを乗り越えにくくすることが出来る。また、クリップの凸部７の前側面７ｅは、前方規制面４ｋの傾斜に平行に形成されているため、押圧突起７ｈが前方傾斜面４ｋに接触し、押圧突起７ｈが前方傾斜面４ｋにすべて食い込むまで、その接触部の下方に位置する前方規制面４ｋと前側面７ｅは接触することが無いため、押圧突起７ｈの食い込みを邪魔せず、確実に食い込むことが出来る。また、完全に食い込んだ後は、上方に向かって前方へ向かう傾斜同士が接触することにより、クリップを下方に押し付ける方向の力が発生するため、さらに凸部７ａが前方規制面４ｋを乗り越えにくくすることが出来る。また、前記押圧突起７ｈの押圧突起前側面７ｇの上方が前方規制面４ｋと先に接触すると、押圧突起７ｈが食い込んだ際に、前記押圧段部７ｆの接触量が減ってしまうため、本実施例では押圧段部７ｆの前端から上方に垂直に延びるように形成しているが、前記押圧突起７ｈの押圧突起前側面７ｇの上方が前方規制面４ｋと先に接触しない形状であれば良く、例えば、押圧段部７ｆの前端から上方に向かって後方へ向かう傾斜としても良い。
なお、本実施例では前方傾斜面は平面で形成されているが、押圧突起７ｈが食い込む分を見越して、最初から接触部分を凹ました形状としても良い。
【００３６】
本実施例では、第１の傾斜壁４ｄ及び第３の傾斜壁４ｅをクリップ４の反基端部４ｂに形成したが、クリップ４ではなく、外装体１の窓孔１ｋに設け、回転子７の凸部７ａの前進により、上下動可能に形成することもできる。外装体１の窓孔１ｋをクリップ４が覆うように配設することにより、外観から窓孔１ｋを隠すことができ、見栄えが良くなる。
また、本発明において、ペン先突出用係合部１ｐを外装体１の窓孔１ｋの幅狭部１ｍと幅広部１ｎとの間に設けたが、幅広部１ｎの側縁部から後方に向かうに連れ幅狭部の側縁部に向かう傾斜面とし、クリップ反基端部４ｂの裏面からペン先突出用係合部１ｐを形成することも可能である。
この場合、ペン先突出状態において、クリップ４を持ち上げると、クリップ反基端部４ｂの裏面に形成したペン先突出用係合部１ｐに係合されている回転子７の凸部７ａが離脱し、傾斜面に案内されて、退没位置に戻ることが可能となり、いわゆる安全機構と言われる構成とすることができる。
【符号の説明】
【００３７】
１      外装体  
１ａ    先端開口部
１ｂ    体後端開口部
１ｃ    軸受部
１ｄ    受面
１ｅ    開凹部
１ｆ    閉凹部
１ｇ    中央突部
１ｈ    開口ストッパー当接壁
１ｉ    閉塞ストッパー当接壁
１ｊ    傾斜面
１ｋ    窓孔
１ｍ    幅狭部
１ｎ    幅広部
１ｏ    第２の傾斜壁
１ｐ    ペン先突出用係合部
１ｑ    第４の傾斜壁
１ｒ    突部
１ｓ    段部
１ｔ    傾斜面
１ｕ    ペン先没入用係合部
１ｖ    案内路
１ｗ    基部取付部
１Ａ    橋渡し部
１Ｂ    係合部
１Ｃ    前方係合孔
１Ｄ    後方係合孔
１Ｅ    目隠し壁
１Ｆ    保護壁
１Ｇ    固定部
２      筆記具本体
２ａ    細径部
２ｂ    太径部
２ｃ    肩部
２ｄ    保持リブ
２ｅ    ペン先押さえ凸部
２ｆ    リブ
２ｇ    凹曲面
２ｈ    面取り部
２ｋ    空気溝
２ｌ    突起
２ｍ    凹部
２ｎ    足の短いＣ字状部
２ｏ    足の長いＣ字状部
２ｒ    ブレ防止リブ
２ｓ    雌ネジ部
２ｔ    凸部
２ｕ    ゲート部
３      ペン先
３ａ    筆記部
３ｂ    接続部
３ｃ    段部
３ｄ    テーパ部
４      クリップ
４ａ    基端部
４ｂ    反基端部
４ｃ    コイルスプリング保持突起
４ｄ    第１の傾斜壁
４ｅ    第３の傾斜壁
４ｆ    規制壁
４ｇ    貫通孔
４ｈ    スリット
４ｉ    突起
４ｊ    コイルスプリング圧入部
４ｋ    前方規制面
４ｌ    前方規制面頂上面
４ｍ    第３傾斜壁頂上面
４ｎ    段部傾斜天面
４ｏ    傾斜後半
５      基部
５ａ    前方係合突起
５ｂ    後方係合突起
５ｃ    爪部
５ｄ    爪部
５ｅ    突起
５ｆ    突部
５ｇ    当接面
５ｈ    傾斜段部
５ｉ    傾斜段部
６      コイルスプリング
７      回転子
７ａ    凸部
７ｂ    Ｃ字状部
７ｃ    幅の狭い延長部
７ｄ    後方傾斜面
７ｅ    前側面
７ｆ    押圧段部
７ｇ    押圧突起前側面
７ｈ    押圧突起
７ｉ    平面部
７ｊ    凹部
７ｋ    頂上面
８      操作部材
８ａ    ノック部
８ｂ    挿入部
８ｃ    雄ネジ部
８ｄ    当接部
８ｅ    リブ
８ｆ    テーパ部
８ｇ    受けリブ
８ｈ    凹部
８ｉ    段部
９      蓋体
９ａ    蓋部
９ｂ    側壁部
９ｃ    回転軸
９ｄ    閉カム突起
９ｅ    外側カム部
９ｆ    開カム突起
９ｇ    凹カム部
９ｈ    開口ストッパー
９ｉ    閉塞ストッパー
９ｊ    内側カム部
９ｋ    カム面
９ｌ    切り欠き部
９ｍ    頭部
９ｎ    凹部
９ｏ    梁
１０    環状弾性体
１１    コイルスプリング
１２    環状弾性体
１２ａ  外側密閉リブ
１２ｂ  外側傾き防止リブ
１２ｃ  内側密閉リブ
１２ｄ  段部
１２ｅ  受け溝
１３    環状部材
１３ａ  接続部
１３ｂ  側壁部
１３ｃ  接触面
１３ｄ  突起
１３ｅ  中孔部
１３ｆ  段部
１４    インキ吸蔵体
１５    ペン先ホルダー
１５ａ  圧入固定部
１５ｂ  段部
１５ｃ  溝部
【図１】
2019014098.tif 000003
【図２】
2019014098.tif 000004
【図３】
2019014098.tif 000005
【図４】
2019014098.tif 000006
【図５】
2019014098.tif 000007
【図６】
2019014098.tif 000008
【図７】
2019014098.tif 000009
【図８】
2019014098.tif 000010
【図９】
2019014098.tif 000011
【図１０】
2019014098.tif 000012
【図１１】
2019014098.tif 000013
【図１２】
2019014098.tif 000014
【図１３】
2019014098.tif 000015
【図１４】
2019014098.tif 000016
【図１５】
2019014098.tif 000017
【図１６】
2019014098.tif 000018
【図１７】
2019014098.tif 000019
【図１８】
2019014098.tif 000020
【図１９】
2019014098.tif 000021
【図２０】
2019014098.tif 000022
【図２１】
2019014098.tif 000023
【図２２】
2019014098.tif 000024
【図２３】
2019014098.tif 000025
【図２４】
2019014098.tif 000026
【図２５】
2019014098.tif 000027
【図２６】
2019014098.tif 000028
【図２７】
2019014098.tif 000029
【図２８】
2019014098.tif 000030
【図２９】
2019014098.tif 000031
【図３０】
2019014098.tif 000032
【図３１】
2019014098.tif 000033
【図３２】
2019014098.tif 000034
【図３３】
2019014098.tif 000035
【図３４】
2019014098.tif 000036
【図３５】
2019014098.tif 000037
【図３６】
2019014098.tif 000038
【図３７】
2019014098.tif 000039
【図３８】
2019014098.tif 000040
【図３９】
2019014098.tif 000041
【図４０】
2019014098.tif 000042
【図４１】
2019014098.tif 000043
【図４２】
2019014098.tif 000044
【図４３】
2019014098.tif 000045
【図４４】
2019014098.tif 000046
【図４５】
2019014098.tif 000047
【図４６】
2019014098.tif 000048
【図４７】
2019014098.tif 000049
【図４８】
2019014098.tif 000050
【図４９】
2019014098.tif 000051
【図５０】
2019014098.tif 000052
【図５１】
2019014098.tif 000053
【図５２】
2019014098.tif 000054